(57)【特許請求の範囲】
【請求項１】
内部中空のロッド状をなし、可撓性を有する竿本体と、
前記竿本体内の中空に挿入される調節用芯材と、
を備え、
前記調節用芯材は、径方向に作用する撓み変形の中心軸に対する角度に応じて、前記撓みに対する曲げ剛性が変化される
ことを特徴とする釣竿。
【請求項２】
前記竿本体の後端に回転可能に連結され、前記竿本体内に挿通された前記調節用芯材を保持するグリップ部をさらに備え、
前記グリップ部が回転されることにより、前記調節用芯材の径方向に作用する前記撓み変形の中心軸に対する角度が変化され、撓みに対する曲げ剛性が変化されることを特徴とする請求項１に記載の釣竿。
【請求項３】
内部中空のロッド状をなし、可撓性を有する竿本体と、
前記竿本体内の中空に挿入される調節用芯材と、
前記竿本体の後端に回転可能に連結され、前記竿本体内に挿通された前記調節用芯材を
保持するグリップ部と
を備え、
前記調節用芯材は、前記グリップ部の回転角度に応じて曲げ剛性が変化される
ことを特徴とする釣竿。
【請求項４】
前記調節用芯材は、可撓性のある複数のワイヤー状の部材が捩られて構成され、先端が前記竿本体内の先端に固定されていることを特徴とする請求項１又は３に記載の釣竿。
【請求項５】
前記調節用芯材は、可撓性のある棒状の部材の内部に、その長手方向に沿って、且つ中心軸線から偏心されて棒状の偏芯材が配置されていることを特徴とする請求項１又は３に記載の釣竿。
【請求項６】
前記調節用芯材は、可撓性のある棒状の部材の内部に、その長手方向に沿って、且つ径方向断面が扁平な扁平芯材が配置されていることを特徴とする請求項１又は３に記載の釣竿。
【請求項７】
前記調節用芯材は、可撓性のある棒状の部材の側面に、その長手方向に沿って複数の切り込みが形成されていることを特徴とする請求項１又は３に記載の釣竿。
【発明の詳細な説明】
【技術分野】
【０００１】
本発明は、無段階且つ微妙な調節が可能な釣竿に関する。
【背景技術】
【０００２】
従来より釣竿は、ターゲットとする魚の大きさや性質に合わせて、その剛性や撓み量などを選んで使用されるのが一般的である。この剛性や撓み量を調整し、使用状態に合わせて硬さ（剛性）を調節して色々な調子に設定できる釣竿も考案されている（例えば、特許文献１参照。）。【０００３】
この先行技術文献に開示された釣竿は、竿管内側に釣糸ガイドを配設した中通し釣竿であって、釣糸ガイド又は釣糸ガイドを支持する支持体を円周方向に剛性の異なるように形成し、釣糸ガイド又は支持体の円周方向における位置を調節することで、竿管の剛性を調節可能としている。
【先行技術文献】
【特許文献】
【０００４】
【特許文献１】特開平８−２８９７０２号公報
【発明の概要】
【発明が解決しようとする課題】
【０００５】
しかしながら、上述した特許文献１に開示された技術では、釣糸ガイド又は釣糸ガイドを支持する支持体の位置を竿管内で調節するものであることから、その操作が煩雑であり、調節に時間がかかるという問題がある。特に、釣竿では、掛かった魚のサイズや種類、性質、水面・水中の状況などに応じて竿に必要な剛性や撓み量が刻々と変化することから、瞬時に行える操作性が必要とされるとともに、無段階且つ微妙な調節能力が要求される。【０００６】
そこで、本発明は、上記問題に鑑み、剛性及び撓み量の調節を瞬時に行える操作性を維持し、無段階且つ微妙な調節が可能な釣竿を提供することを目的とする。
【課題を解決するための手段】
【０００７】
上記課題を解決するために、本発明は、内部中空のロッド状をなし、可撓性を有する竿本体と、前記竿本体内の中空に挿入される調節用芯材とを備え、前記調節用芯材は、径方向に作用する撓み変形の中心軸に対する角度に応じて、前記撓みに対する曲げ剛性が変化されることを特徴とする釣竿である。
【０００８】
このような本発明によれば、竿本体の中空に、径方向に作用する撓み変形の中心軸に対する角度に応じて曲げ剛性（硬度）が変化する調節用芯材を有しているので、利用者が竿本体の撓み変形の方向を変化させることのみで、調節用芯材の曲げ剛性を変化させることができ、掛かった魚のサイズや種類、性質、水面・水中の状況などに応じて刻々と変化する竿に必要な剛性や撓み量に追従させることができる。このように、本発明によれば、剛性及び撓み量の調節を瞬時に行える操作性を維持し、無段階且つ微妙な調節を可能とすることができる。
【０００９】
上記発明では、前記竿本体の後端に回転可能に連結され、竿本体内に挿通された調節用芯材を保持するグリップ部をさらに備え、前記グリップ部が回転されることにより、前記調節用芯材の径方向に作用する前記撓み変形の中心軸に対する角度が変化され、撓みに対する曲げ剛性が変化されることが好ましい。この場合には、利用者が竿本体に対してグリップ部を回転させることのみで、調節用芯材の曲げ剛性を変化させることができ、リールやガイドなどが竿本体に取り付けられているようなときであっても、それらの向きなどを気にすることなく、竿に必要な剛性や撓み量に追従させることができる。
【００１０】
また、他の発明は、内部中空のロッド状をなし、可撓性を有する竿本体と、前記竿本体内の中空に挿入される調節用芯材と、前記竿本体の後端に回転可能に連結され、前記竿本体内に挿通された前記調節用芯材を保持するグリップ部とを備え、前記調節用芯材は、前記グリップ部の回転角度に応じて曲げ剛性が変化されることを特徴とする釣竿である。
【００１１】
この発明によれば、竿本体の中空には、グリップ部に保持され、グリップ部の回転角度に応じて曲げ剛性が変化する調節用芯材を有しているので、利用者が竿本体に対してグリップ部を回転させることのみで、調節用芯材の曲げ剛性を変化させ、掛かった魚のサイズや種類、性質、水面・水中の状況などに応じて刻々と変化する竿に必要な剛性や撓み量に追従させることができる。
【００１２】
なお、上記発明において、前記調節用芯材は、可撓性のある複数のワイヤー状の部材が捩られて構成され、先端が前記竿本体内の先端に固定されていることが好ましい。この場合には、調節用芯材は、撓性のある複数のワイヤー状の部材が捩られ、先端で固定されているので、グリップ部を介して調節用芯材を所定方向に回転させると、ワイヤー状の部材がより捩られて、曲げ剛性を高くすることができ、撓み量を小さくすることができる。一方、グリップ部を逆方向に所定回転させてワイヤー状の部材を捩られた状態を解消させることで、調節用芯材の曲げ剛性を低くすることができ、撓み量を大きくすることができる。このように、本発明によれば、剛性及び撓み量の調節を瞬時に行える操作性を維持し、無段階且つ微妙な調節を可能とすることができる。
【００１３】
上記発明において、前記調節用芯材は、可撓性のある棒状の部材の内部に、その長手方向に沿って、且つ中心軸線から偏心されて棒状の偏芯材が配置されていることが好ましい。この場合には、グリップ部を介して調節用芯材を回転させ、偏芯材を、棒状の部材の中心軸を通過し、釣竿を撓らせる方向（以下、単に撓み変形方向という。）と同軸上に配置させることで、調節用芯材の曲げ剛性を高くすることができるので、撓み変形方向への撓み量を小さくすることができる。一方、グリップ部を介して調節用芯材を回転させ、偏芯材を撓み変形方向とは異なる軸上に配置させることで、調節用芯材１０の曲げ剛性を低くすることができ、撓み変形方向への撓み量を大きくすることができる。このように本発明によれば、剛性及び撓み量の調節を瞬時に行える操作性を維持し、無段階且つ微妙な調節を可能とすることができる。
【００１４】
上記発明において、前記調節用芯材は、可撓性のある棒状の部材の内部に、その長手方向に沿って、且つ径方向断面が扁平な扁平芯材が配置されていることが好ましい。この場合には、グリップ部を介して調節用芯材を回転させ、扁平芯材の断面長手方向を撓み変形方向と平行にさせることで、調節用芯材の曲げ剛性を高くすることができるので、撓み変形方向への撓み量を小さくすることができる。一方、グリップ部を回転させ、扁平芯材の断面長手方向を撓み変形方向と直交にさせることで、調節用芯材の曲げ剛性を低くすることができるので、撓み変形方向への撓み量を大きくすることができる。このように本発明によれば、剛性及び撓み量の調節を瞬時に行える操作性を維持し、無段階且つ微妙な調節を可能とすることができる。
【００１５】
上記発明において、前記調節用芯材は、可撓性のある棒状の部材の側面に、その長手方向に沿って複数の切り込みが形成されていることが好ましい。この場合には、グリップ部を介して調節用芯材を回転させ、切り込みの切込方向を撓み変形方向と平行にさせることで、調節用芯材の曲げ剛性を高くすることができるので、撓み変形方向への撓み量を小さくすることができる。一方、グリップ部を回転させ、切り込みの切込方向を撓み変形方向と直交にさせることで、調節用芯材の曲げ剛性を低くすることができるので、撓み変形方向への撓み量を大きくすることができる。このように、本発明によれば、剛性及び撓み量の調節を瞬時に行える操作性を維持し、無段階且つ微妙な調節を可能とすることができる。
【発明の効果】
【００１６】
以上述べたように、この発明によれば、釣竿において、剛性及び撓み量の調節を瞬時に行える操作性を維持し、無段階且つ微妙な調節することができることから、掛かった魚のサイズや種類、性質、水面・水中の状況などに応じて刻々と変化する竿に必要な剛性や撓み量に追従させることができる。
【図面の簡単な説明】
【００１７】
【図１】（ａ）及び（ｂ）は、実施形態に係る釣竿の一部を示す側面図である。
【図２】実施形態に係る調節用芯材を示す斜視図である。
【図３】（ａ）及び（ｂ）は、実施形態に係る釣竿の動作を示す説明図である。
【図４】（ａ）は、変更例に係る調節用芯材を示す斜視図であり、（ｂ）は調節用芯材の径方向における断面を模式的に示す説明図である。
【図５】変更例１に係る調節用芯材の構成を示す説明図であり、同図（ａ）は、斜視図を示し、同図（ｂ）及び（ｃ）は、その断面図である。
【図６】変更例２に係る調節用芯材の構成を示す説明図であり、同図（ａ）は、斜視図を示し、同図（ｂ）及び（ｃ）は、その断面図である。
【図７】変更例３に係る調節用芯材の構成を示す説明図であり、同図（ａ）は斜視図を示し、同図（ｂ）は側面図を示し、同図（ｃ）及び（ｄ）はその断面図である。
【発明を実施するための形態】
【００１８】
以下に添付図面を参照して、本発明に係る釣竿の実施形態を詳細に説明する。図１（ａ）及び（ｂ）は、本実施形態に係る釣竿の一部を示す側面図であり、図２は、実施形態に係る調節用芯材を示す斜視図である。
【００１９】
本実施形態において、釣竿１は、竿本体５と、グリップ部２と、リールシート部３と、リール部６とを備えている。グリップ部２は、実釣時において操作者が把持する部分であって、フロントグリップ部２２及びリアグリップ部２１を備えている。フロントグリップ部２２は、エチレン酢酸ビニル樹脂或いはウレタン樹脂等の柔軟な合成樹脂発泡材料、又はコルク、ゴム、エラストマー等の材料により形成される筒状部材であり、竿本体５の中間部分において、その外周に装着され固定されている。一方、リアグリップ部２１は、内部に硬質合成樹脂や金属部材で形成された円筒状の外周に、フロントグリップ部２２と同様な素材で形成されたカバー部材が貼り合わされて形成されている。このリアグリップ部２１は、の竿本体５の後端において竿本体５に対して回転可能に連結されている。そして、フロントグリップ部２２及びリアグリップ部２１の間にリールシート部３が設けられている。
【００２０】
このリールシート部３は、釣用のリール部６を装着・固定するためのものであり、硬質合成樹脂や金属部材で形成される。このリールシート部３には、竿本体５の外周面に固定される略筒状の本体部３１と、本体部３１のリアグリップ部２１側に配置され、リール部６の後脚と係合する固定フード３３と、本体部３１のフロントグリップ部２２側に配置され、リール部６の前脚と係合する移動フード３２とから形成される。
【００２１】
本体部３１には、フロントグリップ部２２側において、外周に雄ネジが形成されたネジ部３５を有しているとともに、ネジ部３５には、ネジ部３５に螺着され回転することでネジ部３５上をスライド移動するナット部３４を有している。本実施形態において、ナット部３４は、移動フード３２の穂先側に形成されており、ナット部３４と移動フード３２とを一体移動可能に構成している。
【００２２】
このため、ナット部３４を所定方向へ回転させると、移動フード３２が本体部３１側へスライドするようになっている。したがって、リールシート部３にリール部６の脚部を載置した状態でナット部３４を回転させることによって、移動フード３２と固定フード３３とによってリール部６の脚部を挟持し、固定することができるようになっている。
【００２３】
また、ナット部３４を反所定方向へ回転させることによって移動フード３２を本体部３１と反対側へスライドさせることができるので、リール部６をリールシート部３から取り外すことができる。なお、ナット部３４には、ナット部３４の緩みを防止するロックナットとしての機能も備えている。これらナット部３４の外周面には、滑り止めのためのローレット加工を施すこともできる。また、上述したリールシート部３の構成は一例であり、例えば、移動フードがリアグリップ側にある構成など、種々変更可能である。
【００２４】
リール部６は、リールシート部３に着脱可能に取り付けられ、釣糸を前方に繰り出す部材であり、リール本体６１と、リール本体に軸受によって支持されるスプール６２と、スプールに回転させ、釣糸を巻き取るハンドル６３等を有する一般的なリールであり、片軸受リール、両軸受リール、スピニングリール、電動リールなど種々のリールを用いることができる。本実施形態において、リール部６の両脚部は、リールシート部３に差し込み可能となっている。なお、図示していないが、リール部６に取り付けられた釣糸は、竿本体５の所要の位置に配設されているガイド孔に挿通される。
【００２５】
竿本体５は、可撓性を有する細長の棒状部材であり、炭素繊維強化プラスチック（カーボン）やガラス繊維強化プラスチック（グラスファイバ）、ボロン、アラミド繊維、ザイロン繊維等、所定の硬度を有する素材で形成される。なお、竿本体５は、一体的に形成され、竿尻から竿先に向かい竿径がスムーズに小径化する構成であったり、複数個に分割して継ぎにより一体化する継ぎ竿であってもよい。
【００２６】
本実施形態において、竿本体５は、内部中空５３のロッド状をなしており、図１（ｂ）に示すように、竿本体５内の中空５３に調節用芯材１０が挿入されている。調節用芯材１０は、図２に示すように、可撓性のある複数のワイヤー状の部材１１が捩られて構成されている。このワイヤー状部材１１としては、金属や合成樹脂で形成することができる。この調節用芯材１０は、竿本体５内に挿通された状態で、後端がリアグリップ部２１に保持されるとともに、先端が竿本体５内の先端に設けられた固定部５２に固定されている。
【００２７】
そして、本実施形態において、リアグリップ部２１は、竿本体５の後端において回転可能に連結されている。具体的に、竿本体５の後端は、ネジ部５１が形成されているとともに、リアグリップ部２１の竿先側には、ネジ部５１と螺着される雌ネジが内表面に形成された係止部２３を有しており、係止部２３をネジ部５１に螺着することで竿本体５とリアグリップ部２１とが連結される。また、リアグリップ部２１と係止部２３とは、例えば、ネジ機構（図示省略）で連結されており、リアグリップ部２１は、係止部２３に対して回転可能となっている。これにより、リアグリップ部２１は、係止部２３と連結された竿本体５に対して回転可能となっている。なお、リアグリップ部２１と係止部２３との連結部分は、一定以上の回転を行った場合であっても空回りするような空回り機構が形成され、取り外し不可能となっている。
【００２８】
このような構成により、リアグリップ部２１が回転されることにより、リアグリップ部２１の回転角度に応じて撓りに対する硬度が調整可能となっている。すなわち、図３（ａ）に示すように、リアグリップ部２１を竿本体５に対して所定角度だけ回転させることで、リアグリップ部２１とともに、その先端が竿本体５に固定された複数のワイヤー状部材１１が捩られる。その結果、捩られた調節用芯材１０の硬度が高くなり、釣竿を撓らせる方向（以下、撓み変形方向Ｌという。）に対する撓み量を小さくすることができる。一方、図３（ｂ）に示すように、リアグリップ部２１を逆方向に所定回転させ、複数のワイヤー状部材１１を捩られた状態を解消させることで、調節用芯材１０の硬度を低くすることができ、撓み変形方向Ｌに対する撓み量を大きくすることができる。
【００２９】
なお、調節用芯材１０は、竿本体５に対して着脱可能となっており、図１（ｂ）に示すように、リアグリップ部２１と竿本体５とを取り外し、リアグリップ部２１及び竿本体５の係止状態を解除することで交換することができる。
【００３０】
（作用・効果）
本実施形態によれば、竿本体５の中空５３には、撓性のある複数のワイヤー状の部材が捩られて構成される調節用芯材１０が備えられ、調節用芯材１０の後端はリアグリップ部２１に固定され、先端は竿本体５の固定部５２で固定されているので、利用者が竿本体５に対して回転可能に連結されているリアグリップ部２１を回転させることのみで、内部の調節用芯材１０を回転させ、調節用芯材の硬度を変化させることができる。
【００３１】
具体的には、リアグリップ部２１を介して調節用芯材１０を所定方向に回転させて、ワイヤー状の部材をより捩って硬度を高くすることで、撓み変形方向Ｌに対する撓み量を小さくすることができる。これにより、操作性を高くすることができるので、フッキング等の操作性を向上させることができるとともに、大きい魚をバラすことなく釣ることができる。
【００３２】
一方、リアグリップ部２１を逆方向に所定回転させてワイヤー状の部材を捩られた状態を解消させ、調節用芯材の硬度を低くすることで、撓み変形方向Ｌに対する撓み量を大きくすることができる。これにより、魚が掛かった瞬間の引っ張り力を吸収し、糸切れ等を防ぐことができる。また、小さい魚などを釣る際には張り具合を利用者に適切に伝達することができる。さらに、仕掛けなどを投げる際、その大きな撓み量を利用してより遠くに飛ばすことができる。
【００３３】
このように、本実施形態では、リアグリップ部２１を回転させることで、段階的に調節用芯材１０の硬度を変化させることができるので、掛かった魚のサイズや種類、性質、水面・水中の状況などに応じて刻々と変化する竿に必要な剛性や撓み量に追従することができる。そのため、本実施形態によれば、剛性及び撓み量の調節を瞬時に行える操作性を維持し、無段階且つ微妙な調節を可能とすることができる。
【００３４】
［変更例］
なお、上述した実施形態の説明は、本発明の一例である。このため、本発明は上述した実施形態に限定されることなく、本発明に係る技術的思想を逸脱しない範囲であれば、設計等に応じて種々の変更が可能である。以下、各変更例について説明する。
【００３５】
図４（ａ）は、各変更例に係る調節用芯材の外観を示す斜視図である。なお、以下の変更例において、上述した各実施形態と同一の構成要素には同一の符号を付し、その機能等は特に言及しない限り同一であり、その説明は省略する。
【００３６】
上述した実施形態において、調節用芯材１０は、複数のワイヤー状部材１１を捩った構成としたが、本発明はこれ限定されるものではなく、図４（ａ）に示すような形態を採用することもできる。すなわち、同図（ｂ）に示すように、調節用芯材１０ａとして、径方向に作用する撓み変形Ｐの中心軸Ｃに対する角度θ、言い換えれば、撓み変形Ｐによる曲げ応力の作用方向が、中心軸Ｃを含む所定断面Ｓに対する角度θに応じて、その撓みに対する耐力が変化する部材を用いる。具体的に、本実施形態では、調節用芯材１０ａは、リアグリップ部２１の先端に連結されており、リアグリップ２１の回転に伴って調節用芯材１０ａを撓らせる方向が変化され、その回転角度に応じて、調節用芯材１０ａの径方向に作用する撓み変形の中心軸Ｃに対する角度θが変化され、撓みに対する硬度が変化される。
【００３７】
この棒状の調節用芯材１０ａは、合成樹脂材などの可撓性のある部材から形成されている。そして、調節用芯材１０ａは、以下に示すような各構成を備えることで、リアグリップ部２１の回転角度に応じてこの調節用芯材１０の硬度を変化させることができるようになっている。以下、調節用芯材１０ａの各構成について説明する。
【００３８】
（変更例１）
先ず、変更例１について説明する。図５は、変更例１に係る調節用芯材の構成を示す説明図であり、同図（ａ）は斜視図を示し、同図（ｂ）及び（ｃ）は断面図を示している。変更例１に係る調節用芯材１０ａは、図５（ａ）に示すように、合成樹脂など可撓性のある棒状の部材を本体として、その調節用芯材１０ａの内部に設けられ、その調節用芯材１０ａの長手方向に沿って延設される棒状の芯材１３，１４から構成される。
【００３９】
詳述すると、芯材１３，１４は、調節用芯材１０ａと比較して、剛性で可撓性の低い硬化部材で形成されている。そして、同５（ｂ）及び（ｃ）に示すように、一方の芯材は、中心軸線に沿って形成された芯材１４となっており、他方は中心軸線から偏心された偏芯材１３となっており、この２本の芯材は、相互の位置関係から、径方向に作用する撓み変形Ｐの中心軸Ｃに対する角度θが変化するようになっている。言い換えれば、撓み変形Ｐによる曲げ応力の作用方向の、中心軸Ｃを含む所定断面Ｓに対する角度θに応じて、撓み変形Ｐに対する２本の芯材１３，１４の位置が、縦に並ぶか横に並ぶかが変化されることとなり、その撓みに対する耐力が変化するようになっている。なお、これらの芯材１３及び１４は、同質の素材でもよく、一方を他方よりも硬く（或いは柔らかく）してもよい。
【００４０】
このような構成により、リアグリップ部２１を介して調節用芯材１０ａを回転させ、図５（ｂ）に示すように、偏芯材１３と中芯材１４とを、撓み変形方向Ｌと同軸上に配置させることで、調節用芯材１０ａの硬度を高くすることができるので、撓み変形方向Ｌへの撓み量を小さくすることができる。一方、図５（ｃ）に示すように、リアグリップ部２１を９０度回転させ、上記θが９０°となるようにして、偏芯材１３と中芯材１４とを撓み変形方向Ｌの軸上とは異なる位置に配置させることで、調節用芯材１０の硬度を低くすることができ、撓み変形方向Ｌへの撓み量を大きくすることができる。
【００４１】
（変更例２）
次いで、変更例２について説明する。図６は、変更例２に係る調節用芯材の構成を示す説明図であり、同図（ａ）は、斜視図を示し、同図（ｂ）及び（ｃ）は、その断面図である。
【００４２】
図６に示すように、調節用芯材１０ａは、合成樹脂など可撓性のある棒状の部材を本体として、その内部に設けられ、その調節用芯材１０ａの長手方向に沿って形成される１本の棒状の芯材を有している。本変更例２に係る芯材は、同６（ｂ）及び（ｃ）に示すように、径方向断面が扁平な扁平芯材１５となっている。この扁平芯材１５は、径断面の縦と横とでは、その厚みが異なることから、径方向に作用する撓み変形Ｐの中心軸Ｃに対する角度θ、言い換えれば、撓み変形Ｐによる曲げ応力の作用方向が、中心軸Ｃを含む所定断面Ｓに対する角度θに応じて、その撓みに対する耐力が変化するようになっている。
【００４３】
このような構成により、リアグリップ部２１を介して調節用芯材１０ａを回転させ、図６（ｂ）に示すように、扁平芯材１５の断面長手方向を撓み変形方向Ｌと平行にさせることで、調節用芯材１０ａの硬度を高くすることができるので、撓み変形方向Ｌの撓み量を小さくすることができる。一方、図６（ｃ）に示すように、リアグリップ部２１を９０度回転させ、上記θが９０°となるようにして、扁平芯材１５の断面長手方向を撓み変形方向Ｌと直交させることで、調節用芯材１０の硬度を低くすることができ、撓み変形方向Ｌへの撓み量を大きくすることができる。
【００４４】
（変更例３）
次いで、変更例３について説明する。図７は、変更例３に係る調節用芯材の構成を示す説明図であり、同図（ａ）は、斜視図を示し、同図（ｂ）は、側面図を示し、同図（ｃ）及び（ｄ）は、その断面図である。
【００４５】
図７（ａ）に示すように、調節用芯材１０ａは、可撓性のある棒状の部材であり、その上面に、その長手方向に沿って複数の切り込み１６が形成されている。各切り込み１６は、調節用芯材１０ａの長手方向と直交する幅方向（径方向）に形成されており、その深さは、撓ませたい大きさによって種々変更可能である。すなわち、撓みを小さくしたい場合は切り込みを浅くし、大きくしたい場合には切り込みを深くする。
【００４６】
このような構成により、リアグリップ部２１を介して調節用芯材１０ａを回転させ、図７（ｃ）に示すように、切り込み１６の切込方向（切り込みの深さ方向）を撓み変形方向Ｌと平行に配置させることで、調節用芯材１０ａの耐力を低くすることができ、図７（ｂ）に示すように、撓み変形方向Ｌへの撓み量を大きくすることができる。一方、図７（ｄ）に示すように、リアグリップ部２１を９０〜１８０°回転させ、切り込み１６の切込方向を撓み変形方向Ｌと直交或いは逆方向とさせることで、調節用芯材１０の硬度を高くすることができ、撓み変形方向Ｌへの撓み量を小さくすることができる。
【００４７】
これらの変更例のように、調節用芯材１０ａとして棒状の部材を用い、その内部に芯材を挿入したり、外部に切り込みを形成したりすることで、リアグリップ部２１の回転角度に応じて、段階的に調節用芯材１０の硬度を変化させることができるので、掛かった魚のサイズや種類、性質、水面・水中の状況などに応じて刻々と変化する竿に必要な剛性や撓み量に追従することができる。そのため、本変更例によれば、剛性及び撓み量の調節を瞬時に行える操作性を維持し、無段階且つ微妙な調節を可能とすることができる。
【００４８】
なお、上述した変更例１において、調節用芯材１０ａの内部に２つの芯材を配置させたが、本発明は、これに限定するものではなく、３以上の芯材を配置させてもよい。また、内部に配置させた芯材として断面円形の芯材を用いたが、本発明は、これに限定するものではなく、例えば、断面が略三角形状やハート形など種々の形状の芯材を用いることもできる。例えば、断面が略三角形状の芯材を用いた場合、調整用芯材を回転させると、撓み変形方向Ｌの軸上に位置する芯材の厚みが変化するので、その厚みによって撓み量を変化させることができる。
【００４９】
さらには、上述した各変更例では、リアグリップ部２１で調節用芯材１０ａを、竿本体５の内部で回転させて、その硬度を調節するようにしたが、本発明はこれに限定されるものではなく、調節用芯材１０ａを竿本体５内部に固定し、釣竿１自体を回転させてその硬度を調節するようにしてもよい。詳述すると、上述した変更例１〜３の調節用芯材１０ａを竿本体５の内部に固定し、釣竿１自体を回転させることで、調節用芯材１０ａの径方向に作用する撓み変形Ｐの中心軸Ｃに対する角度θ、言い換えれば、撓み変形Ｐによる曲げ応力の作用方向が、中心軸Ｃを含む所定断面Ｓに対する角度θに応じて、その撓みに対する耐力を変化させる。この場合には、竿本体５の構造を簡略化することができ、製造コストを低減できる。
【符号の説明】
【００５０】
１…釣竿
２…グリップ部
３…リールシート部
５…竿本体
６…リール部
１０，１０ａ…調節用芯材
１１…ワイヤー部材
１３…偏芯材
１４…中芯材
１５…扁平芯材
２１…リアグリップ部
２２…フロントグリップ部
２３…係止部
３１…本体部
３２…移動フード
３３…固定フード
３４…ナット部
３５，５１…ネジ部
５２…固定部
５３…中空
６１…リール本体
６２…スプール
６３…ハンドル
【要約】
【課題】剛性及び撓み量の調節を瞬時に行える操作性を維持し、無段階且つ微妙な調節が可能とする。
【解決手段】内部中空のロッド状をなし、可撓性を有する竿本体５と、竿本体５内の中空に挿入される調節用芯材１０と、竿本体５の後端に回転可能に連結され、竿本体５内に挿通された調節用芯材１０を保持するリアグリップ部２１とを備え、調節用芯材１０は、グリップ部２の回転角度に応じて硬度が変化される。【図１】
0005838288.tif 000002
【図２】
0005838288.tif 000003
【図３】
0005838288.tif 000004
【図４】
0005838288.tif 000005
【図５】
0005838288.tif 000006
【図６】
0005838288.tif 000007
【図７】
0005838288.tif 000008